(57)【要約】      （修正有）【課題】部品点数が少なく、以ってコスト削減及び組立性を向上させた歩行型管理機を提供する。【解決手段】伝動ケース１０は、ダイキャストによって一体に形成されていると共に、エンジンから下方に延びる出力軸及び耕耘装置の駆動部を収容するための空間部１１を有している。出力軸を挿入する挿入口１１ｃには、エンジンを取付けるための取付部１５が一体に形成されていると共に、その後方には、機体上方に延びた操作ハンドルを取付けるハンドル取付部１３ａが形成されている。また、ハンドル取付部１３ａの近傍には、把手としての孔部１３ｂが形成されている。【選択図】図３
2011193807.tif 000002
【特許請求の範囲】
【請求項１】
エンジンと、該エンジンからの動力が伝達され、前記エンジンの下方にて上下方向に延びる出力軸と、前記出力軸からの動力に基づいて耕耘爪を回転駆動させて圃場を耕耘する耕耘装置と、前記エンジンの後方側で上方に延設された操作ハンドルと、を備えた歩行型管理機において、
前記エンジンの出力軸を収容しかつ、その下方側にて前記出力軸からの動力が伝達される前記耕耘装置の駆動部を収容する空間部を有すると共に、該空間部の後方側に設けられた前記ハンドルの取付部の近傍に孔部を設けて把手とした伝動ケースを備えた、
ことを特徴とする歩行型管理機。
【発明の詳細な説明】
【技術分野】
【０００１】
本発明は、歩行型の管理機に係り、詳しくは、伝動ケースの構成に関する
【背景技術】
【０００２】
従来、エンジン本体の下方側に動力を取り出すための出力軸を延設する、いわゆるバーチカルエンジンを搭載し、該出力軸の下端部に設けられた円筒ウォームにより、回転軸に取付けられたウォームホイールを回転させることにより駆動する歩行型管理機が案出されている（特許文献１参照）。このように、バーチカルエンジンを管理機に搭載すると伝動構成が簡単になり、伝動ケース自体の構成も簡素化することができる。
【先行技術文献】
【特許文献】
【０００３】
【特許文献１】特許第３４２０４５４号公報
【発明の概要】
【発明が解決しようとする課題】
【０００４】
一方、このような管理機は、比較的に小型であるため、例えば、乗用車のトランクや、トラックの荷台に作業者が機体を持って積込まれるが、上記特許文献１記載の管理機のように、機体に作業者が把持する把手が設けられていないと、機体を持上げにくかった。また、このような把手を機体に設けようとすると、把手を取付けるための部品が必要となり、部品点数が増加すると共に、組立工数も増加するという問題があった。
【０００５】
そこで本発明は、伝動ケースに作業者が把持する把手としての孔部を一体に形成したことによって、上記課題を解決した歩行型管理機を提供することを、目的とする。
【課題を解決するための手段】
【０００６】
本発明は、エンジン（２）と、該エンジン（２）からの動力が伝達され、前記エンジン（２）の下方にて上下方向に延びる出力軸（３）と、前記出力軸（３）からの動力に基づいて耕耘爪（２１）を回転駆動させて圃場を耕耘する耕耘装置（２０）と、前記エンジン（２）の後方側で上方に延設された操作ハンドル（３０）と、を備えた歩行型管理機（１）において、
前記エンジン（２）の出力軸（３）を収容しかつ、その下方側にて前記出力軸（３）からの動力が伝達される前記耕耘装置（２０）の駆動部（２４）を収容する空間部（１１）を有すると共に、該空間部（１１）の後方側に設けられた前記操作ハンドル（３０）の取付部（１３ａ）の近傍に孔部（１３ｂ）を設けて把手とした伝動ケース（１０）を備えた、ことを特徴とする。
【０００７】
なお、括弧内の符号等は、図面と対照するためのものであるが、これにより特許請求の範囲に何等影響を及ぼすものではない。
【発明の効果】
【０００８】
請求項１に係る発明によると、エンジンの出力軸及び耕耘装置の駆動部を収容する空間部の後方側に孔部を設け、該孔部を作業者が管理機を持つ際の把手としたことによって、わざわざ別に把手を形成する必要がなく、部品点数の削減に寄与することができた。
【図面の簡単な説明】
【０００９】
【図１】本願発明の第１の実施形態に係る歩行型管理機の側面図。
【図２】本願発明の第１の実施形態に係る歩行型管理機の平面図。
【図３】本願発明の第１の実施形態に係る歩行型管理機の伝動ケースの側面図。
【図４】本願発明の第２の実施形態に係る歩行型管理機の側面図。
【図５】図４において操作ハンドルを折畳んだ状態を示す側面図。
【発明を実施するための形態】
【００１０】
以下、図面に基づいて本発明の実施形態に係る歩行型管理機１について説明をする。なお、以下の説明中においてその方向は、作業状態の作業者を基準とするものとする。
【００１１】
＜第１の実施形態＞
［歩行型管理機の概略］
まず、歩行型管理機１の全体構成について説明する。図１及び図２に示すように、歩行型管理機１は、動力を取出すための出力軸３を、その下方側に向けて上下に延設したバーチカル型のエンジン２と、該出力軸３からの動力を受けて駆動する耕耘装置２０と、これら出力軸３及び耕耘装置２０の駆動部２４を収容する伝動ケース１０と、を有している。
【００１２】
また、エンジン２の後方側において、上記伝動ケース１０には、作業中に土中に埋没して使用される抵抗棒４０及び尾輪４１が取付けられていると共に、上方に向けて延設された操作ハンドル３０が固定されている。該操作ハンドル３０は、伝動ケース１０に取付けられるハンドルフレーム３２と、２又状に分かれて形成されたハンドル本体３１と、から構成されており、ハンドル本体３１の後端部には、それぞれ作業者が握持する左右の握持部３１ａ，３１ａが設けられている。
【００１３】
また、上記ハンドル本体３１は、ハンドルフレーム３２に対して回動支点３４を中心として機体側に回転自在に取付けられており、上方に向けて伸展した作業位置（図１の位置）と、前方に折畳まれた収納位置とに固定可能に構成されている。
【００１４】
一方、上記耕耘装置２０は、その駆動部２４として、出力軸３の下端に設けられた円筒ウォーム４と、該円筒ウォームと噛合してウォームギヤを形成するウォームホイール２３と、このウォームホイール２３が取付けられた回転軸２２とを有しており、この回転軸２２の左右両端部には、図２に示すように耕耘軸２８が取付けられている。耕耘軸２８には、その先端部が機体内側及び機体外側にそれぞれ屈曲した複数の耕耘爪２１が取付けられており、耕耘装置２０は、エンジン２から出力軸３に出力された回転が、その回転方向を上記円筒ウォーム４及びウォームホイール２３により変えられて、回転軸２２及び耕耘軸２８伝達されると共に、該耕耘軸２８により耕耘爪２１が回転駆動することにより圃場を耕耘するようになっている。
【００１５】
ついで、上記伝動ケース１０の構成について、図１及び図３に基づいて詳しく説明する。伝動ケース１０は、鉄、アルミなどの部材をダイキャストによって加工して一体に構成されており、その内部に上記出力軸３及び耕耘装置２０の駆動部２４を収納するための空間部１１が形成されている。該空間部１１は、伝動ケース１０の前端で円筒状に上下に延設された出力軸収納部１１ａと、該出力軸収納部１１ａから機体後方側に連続し、耕耘装置２０の駆動部２４を収納する駆動部収納部１１ｂと、から構成されており、略々Ｌ字状にケース１４が膨出して形成されている。
【００１６】
また、上記出力軸収納部１１ａは、その上端部が漏斗状に広がって出力軸３を挿入するための挿入口１１ｃを形成していると共に、その側縁を、略々矩形のフランジ状に形成してエンジン２をボルトによって取付けるための取付部１５としている（図２も合わせて参照）。即ち、エンジン２を取付けるための取付部１５を挿入口１１ｃと一体に形成している。
【００１７】
なお、上記空間部１１は、上記挿入口１１ｃの他に、その底部もウォームホイール２３を収納するために開口しており、この底部はケース１６によって蓋されている。
【００１８】
一方、上記空間部１１を覆おうケース１４は、機体後方側に連続して延設されており、接続部１２を形成している。この接続部１２は、ケース１４に上端部（取付部１５）から駆動部収納部１１ａの中途部（ｒ部）にかけて上下に設けられており、その上端縁１２ｂは水平方向に延びていると共に、下端縁１２ｃは機体後方側に行くに従って上方へと延設せれている。また、その中央部には、凹部１２ａが形成されていると共に、この凹部１２ａから回転軸２２が差し込まれる挿通穴１７に亘ってリブ１９が形成されている。
【００１９】
上記接続部１２には、上述した下端部１２ｃと略同じ勾配で機体上部後方側へと更に延設された延設部１３が連続しており、この延設部１３には、操作ハンドル３０のハンドルフレーム３２を取付けるハンドル取付部１３ａが形成されていると共に、該ハンドル取付部１３ａに沿った形で把手としての孔部１３ｂが、該ハンドル取付部１３ａに近接して設けられている。
【００２０】
このハンドル取付部１３ａは、ハンドルフレーム３２の形状にそってパイプ状に形成された凹部の端部に、該ハンドルフレーム３２を固定するためのボルト孔が設けられたものであり、取付けられたハンドルフレーム３２が出力軸２２の中心を向くように斜め下方に向けて傾斜して構成されている。また、延設部１３の後端部はハンドル取付部１３ａの上端に向かって垂直に延びており、この後端部には、上述した抵抗棒４０を取付けるためのアッタチメント取付部１３ｃが形成されている。
【００２１】
上述したように、伝動ケース１０は、出力軸３を挿入するための挿入口１１ｃにエンジン取付部１５を一体に形成すると共に、該挿入口１１ｃの後方側にある延設部１３にハンドル取付部１３ａを設け、これらエンジン取付部１５及びハンドル取付部１３ａを伝動ケースに一体に形成したことによって、エンジン２及び操作ハンドル３０を伝動ケース１０に取付ける部品が必要なくなり、部品点数の削減に寄与することができる。
【００２２】
また、出力軸３の後方側で耕耘装置２０の駆動部２４を収容するように空間部１１を形成すると共に、該空間部１１からハンドル取付部１３ａに向かって後部情報に連続して延設するように伝動ケース１０（接続部１２）を形成したことによって、ケース全体の強度を高めることができる。
【００２３】
更に、ハンドル取付部１３ａの近傍に孔部１３ｂを設け、この孔部１３ｂを作業者が把持する把手とすると共に、この孔部１３ｂを操作ハンドル３０の折畳み方向とは逆側（本実施形態では、ハンドル本体３１が機体側に折畳まれるため、機体下方側）に設けたことによって、作業者はこの把手を持って容易に管理機１を車などに積み込める。また、わざわざ別に管理機１を持つための把手を形成する必要がなく、部品点数の削減に寄与することができると共に、上記エンジン２を取付ける部材及び操作ハンドル３０を取付ける部材が必要なくなったことと相俟って、コスト削減及び組立性の向上を図ることができる。
【００２４】
＜第２の実施形態＞
ついで、本発明に係る歩行型管理機１の第２の実施形態について、図４及び図５に基づいて説明をする。なお、この第２の実施形態は、操作ハンドル３０の折畳み方向及び把手としての孔部１３ｂを有していない点で第１の実施形態と相異しており、その他の点では同一構成であるため、これら該第１の実施形態との相違点についてのみ説明をする。
【００２５】
図４及び図５に示すように、操作ハンドル３０は、菊座３４を緩めることによって、後方側（オペレータ側）に折畳み可能に構成されていると共に、
伝動ケース１０の延設部１３には、該操作ハンドル３０の折畳み方向とは反対の前方側（機体側）に、Ｌ字状のハンドル５０を装着するための取付部１３ｄが形成されている。また、延設部１３の上記取付部１３ｄとは反対側には、抵抗棒４０を差し込む形で保持するホルダ部１３ｅが設けられている。
【００２６】
このように、管理機１を把持するための把手部材１３ｂ，５０を、操作ハンドル３０の折畳み方向とは逆側の延設部１３に形成すると、作業者は折畳んだハンドル本体３３が邪魔になることなく、管理機を持つことができる。
【符号の説明】
【００２７】
１      歩行型管理機
２      エンジン
３      出力軸
１０    伝動ケース
１１    空間部
１１ｃ  挿入口
１３ａ  ハンドル取付部
１３ｂ  孔部
１５    エンジン取付部
２０    耕耘装置
２１    耕耘爪
２４    駆動部
３０    操作ハンドル
【図１】
2011193807.tif 000003
【図２】
2011193807.tif 000004
【図３】
2011193807.tif 000005
【図４】
2011193807.tif 000006
【図５】
2011193807.tif 000007